(57)【要約】【課題】庫内温度を検出するセンサーを特に増設することなしに、所定箇所に設置されている既設のセンサー（温度調整するときに使用するものとして例えば吹出し口に設置されているセンサー）で検出された庫内温度を補正することで実際の庫内温度にかぎりなく近い温度を表示温度として算出できる冷凍冷蔵ショーケース用制御器の庫内温度の表示温度算出方法を得る。【解決手段】冷凍冷蔵ショーケースの庫内温度が任意に設定可能であるとともに、設定した目標温度となるように庫内温度を測定検出してショーケース用制御器で制御する冷凍冷蔵ショーケースにおいて、所定箇所で検出した庫内温度を目標温度により補正して、表示する庫内温度を算出する。【選択図】        図１
2007256169.tif 000002
【特許請求の範囲】
【請求項１】
冷凍冷蔵ショーケースの庫内温度が任意に設定可能であるとともに、設定した目標温度となるように庫内温度を測定検出してショーケース用制御器で制御する冷凍冷蔵ショーケースにおいて、所定箇所で検出した庫内温度を目標温度により補正して、表示する庫内温度を算出することを特徴とする冷凍冷蔵ショーケース用制御器の庫内温度の表示温度算出方法。
【請求項２】
冷凍冷蔵ショーケースの庫内温度が任意に設定可能であるとともに、設定した目標温度となるように、冷却用空気の吹出し部側と吸込み部側との２箇所以上で庫内温度を測定検出してショーケース用制御器で制御する冷凍冷蔵ショーケースにおいて、検出した庫内温度の吹出し部側と吸込み部側との平均値を吹出し部側と吸込み部側との検出温度差によって補正して、表示する庫内温度を算出することを特徴とする冷凍冷蔵ショーケース用制御器の庫内温度の表示温度算出方法。
【請求項３】
冷凍冷蔵ショーケースの庫内温度が任意に設定可能であるとともに、設定した目標温度となるように、冷却用空気の吹出し部側と吸込み部側との２箇所以上で庫内温度を測定検出してショーケース用制御器で制御する冷凍冷蔵ショーケースにおいて、吹出し部側と吸込み部側との検出温度差が所定値以下の場合は吹出し部側と吸込み部側との検出温度の平均値を庫内温度の表示温度とし、検出温度差が所定値以上の場合は表示温度を吸込み側の検出温度に近づけるように補正して表示温度とすることを特徴とする冷凍冷蔵ショーケース用制御器の庫内温度の表示温度算出方法。
【発明の詳細な説明】
【技術分野】
【０００１】
本発明は、冷凍冷蔵ショーケース用制御器の庫内温度の表示温度算出方法に関するものである。
【背景技術】
【０００２】
スーパーマーケットなどの店舗に設置される冷凍冷蔵ショーケースは、周知のように冷凍装置を備え、商品を陳列したショーケース庫内に吹出し口から冷気を吹出して庫内を所定の温度に冷却し、吹出した冷気は吸込み口から吸込んで再度冷却して冷気として庫内に吐出している。
【０００３】
ところで、庫内の冷却温度は、ここに収納している商品の種類によって異なり、ショーケースごとに庫内温度が設定されるが、この庫内の目標温度の設定は、ショーケースごとに設置されている冷凍冷蔵ショーケース用制御器で行う。
【０００４】
そして、目標温度が設定されたならば、庫内温度を検出して庫内温度がこの目標温度に近づくように冷凍装置のコンプレッサーをオンオフ制御して温度制御する。
【０００５】
図２はこの温度制御の動作を示すフローで、冷却運転中はコンプレッサーはオンし（ステップ１）、庫内に冷気を吹出し、冷却する。検出される現在の庫内温度が目標温度（Ｔｔ）よりも高い間はコンプレッサーは作動して冷気を庫内に供給している（ステップ２）。
【０００６】
そして、庫内が冷却されて設定した目標温度に到達したならばコンプレッサーをオフする（ステップ３）。その後、庫内温度が上昇して検出される現在の庫内温度が目標温度＋デファレンシャル温度よりも高くなれば（ステップ４）、再びコンプレッサーをオンして庫内に冷気を供給する。これを繰り返して冷却運転する。
【０００７】
ところで、庫内温度の表示は、前記冷凍冷蔵ショーケース用制御器に表示されるが、表示温度の算定は、例えば目標として設定した温度に近い温度が検出される箇所として庫内への冷気の吹出し口に温度センサーを設け，このセンサーで検出されたセンサー温度をもって表示温度としている（特許文献１参照）。
【特許文献１】特開平１−１７５００９号公報
【発明の開示】
【発明が解決しようとする課題】
【０００８】
前記のように吹出し口のセンサー温度を庫内温度として表示する場合、例えば０℃で吹出し口のセンサー温度と実際の庫内温度とが等しくなるように相関をとり、温度制御運転の調整を行っており、実際の庫内温度が０℃のときに表示温度が０℃になるように設定し、それ以外の温度については制御器によって相関関係により表示温度を算出して表示している。
【０００９】
このため、図３のグラフに示すように冷凍冷蔵ショーケースの温度設定範囲が１０℃以上あるようなショーケースにおいて、ショーケース用制御器で例えば−２０℃に目標温度を設定すると、設定温度と実際の庫内温度とが０℃のときには等しくなっているが、例えば表示温度が−１７℃のときに、実際の庫内温度は−１５℃であり、表示温度が実際の庫内温度と異なってしまう。
【００１０】
これは設定した目標温度が低くなるほど、放熱量が増えて実際の庫内温度は相関関係で算定される表示温度よりも高めになってしまうことによる。かかる不都合を解消するには、例えば−２０℃で温度調整し、この温度で表示温度と実際の庫内温度とが等しくなるように設定すればよいが、このようにすると、今度は０℃付近で冷えすぎになってしまう不都合が生じる。
【００１１】
さらに、前記不都合は、庫内の各所に温度センサーを設置して、これらのセンサーで庫内温度を直接検出すればよいが、センサー取付構造が複雑となり、コスト高となる。
【００１２】
本発明の目的は前記従来例の不都合を解消し、庫内温度を検出するセンサーを特に増設することなしに、所定箇所に設置されている既設のセンサー（温度調整するときに使用するものとして例えば吹出し口に設置されているセンサー）で検出された庫内温度を補正することで実際の庫内温度にかぎりなく近い温度を表示温度として算出できる冷凍冷蔵ショーケース用制御器の庫内温度の表示温度算出方法を提供することにある。
【課題を解決するための手段】
【００１３】
本発明は前記目的を達成するものとして、請求項１記載の発明は、冷凍冷蔵ショーケースの庫内温度が任意に設定可能であるとともに、設定した目標温度となるように庫内温度を測定検出してショーケース用制御器で制御する冷凍冷蔵ショーケースにおいて、検出した庫内温度を目標温度により補正して、表示する庫内温度を算出することを要旨とするものである。
【発明の効果】
【００１４】
以上述べたように本発明の冷凍冷蔵ショーケース用制御器の庫内温度の表示温度算出方法は、例えば０℃で実際の庫内温度と表示温度とが等しくなるように調整して調整温度として設定した場合、目標温度の値が調整温度の値と離れるときは、この離れた量によって実際に吹出し口で検出される温度を補正して表示する庫内温度を算出するから、表示される庫内温度が実際の庫内温度に近い値のものとなり、庫内温度を目標温度に正しく維持させることができる。
【発明を実施するための最良の形態】
【００１５】
以下、図面について本発明の実施形態を詳細に説明する。本発明の冷凍冷蔵ショーケース用制御器の庫内温度の表示温度算出方法が実施される冷凍冷蔵ショーケースは、既に説明したように、冷凍装置を備え、商品を陳列したショーケース庫内に吹出し口から冷気を吹出して庫内を所定の温度に冷却し、吹出した冷気は吸込み口から吸込んで再度冷却して冷気として庫内に吐出するもので、冷凍冷蔵ショーケースに備わっているショーケース用制御器により庫内温度を１０℃以上の範囲内で任意に設定可能なものである。
【００１６】
そして、庫内温度を検出して、庫内温度がこのショーケース用制御器で設定した目標温度に近づくように冷凍装置のコンプレッサーをオンオフ制御して温度制御する。この場合、庫内温度の検出は、庫内への冷気の吹出し口に設置した温度センサーで行い、この吹出し温度（センサー温度）をもとにして庫内温度を表示する。
【００１７】
ところで、表示される庫内温度は、前記のように吹出し口温度が０℃のときに表示温度も０℃となるようにショーケース用制御器で調整されるため、例えば目標温度が０℃から離れた例えば−２０℃に設定されると、実際の庫内温度と、吹出し口で検出される吹出し温度である表示温度との間に差が生じる。
【００１８】
そこで、本発明は表示温度を実際の庫内温度に近づける方法の第１実施形態として、検出された吹出し温度を補正する。補正の方法は、目標温度として設定した当該温度値によって、経験則により実際の庫内温度と吹出し温度との差が決まっていることから、補正値を算出し、庫内温度として検出した吹出し温度から補正値を減算する。
【００１９】
さらに、冷凍冷蔵ショーケースごとに、その特性によって実験により得た機体ごとの特有値があり、この特有値例えばＡ＝０．１２５、Ｂ＝１．２５をショーケース用制御器に予め組みこんでおく。
【００２０】
そして、下記の補正式により補正温度を算出する。
補正温度（ｔｒＫ）＝A×目標温度（Ｔｔ℃）−Ｂ
【００２１】
よって、目標温度が−１５℃で、吹出し温度（検知センサーでのショーケース制御器読込値）−１７．３℃の場合、前記式にそれぞれの値を代入すると、補正温度は−１５℃×０．１２５−１．２５＝３．１３Ｋとなる。
【００２２】
その結果、庫内温度は−１７．３−１−（−３．１）＝−１５．２となり、この温度が実際の庫内温度に近似した値として、表示温度として表示される。よって、センサー温度が−１７．３℃であっても、この温度が表示されるのではなく、実際の庫内温度に近似した値が表示されることになる。
【００２３】
前記第１実施形態は、センサー温度を特有値で補正して庫内温度の表示温度を算出したが、補正方法として第２実施形態では、ショーケース庫内冷却用冷気吹出し温度Ｔｏｕｔと、ショーケース庫内冷却用冷気吸込み温度Ｔｉｎとの差ΔＴ＝（Ｔｏｕｔ−Ｔｉｎ）の値をもとにして補正値を決定する。
【００２４】
補正値の算出は下記の式による。
補正温度（ｔｒｋ）＝−（Δｔ−Ａ）÷Ｂ
ここでＡとＢはショーケース機体ごとの特有値であり、機体ごとのショーケース用制御器の記憶装置に予め記憶させておく。
【００２５】
なお、補正前の基準になる庫内温度は、ショーケース庫内冷却用冷気吹出し温度Ｔｏｕｔと、ショーケース庫内冷却用冷気吸込み温度Ｔｉｎとの平均値とする。
【００２６】
次に、任意のショーケース用制御器に設定したＡとＢの値をそれぞれＡ＝２、Ｂ＝２とし、Ｔｏｕｔ＝−５℃、Ｔｉｎ＝−１℃とした場合の、表示温度の算出を説明する。
【００２７】
補正温度（ｔｒｋ）は、前記式により、−（−１−（−５）−２）÷２＝−１ｋとなる。
【００２８】
よって、補正される庫内表示温度は、ショーケース庫内冷却用冷気吹出し温度Ｔｏｕｔと、ショーケース庫内冷却用冷気吸込み温度Ｔｉｎとの平均値から補正温度を減算した値であり、（−１＋（−５））／２−（−１）＝−２℃となり、この温度が庫内温度として表示される。この表示温度は計算上の単なる平均値である−３℃よりも高く、実際の庫内温度に近い値となる。
【００２９】
第３実施形態は、第２実施形態の変形例であり、図１の算出動作のフローチャートに示すように、ショーケース庫内冷却用冷気吹出し温度Ｔｏｕｔと、ショーケース庫内冷却用冷気吸込み温度Ｔｉｎとの差が所定値例えば４℃以上の場合には（ステップ５）、庫内温度の補正をショーケース庫内冷却用冷気吸込み温度Ｔｉｎの側に近づけるようにして減算するものである。
【００３０】
ここで、補正前の基準になる庫内温度は、第２実施形態と同様ショーケース庫内冷却用冷気吹出し温度Ｔｏｕｔと、ショーケース庫内冷却用冷気吸込み温度Ｔｉｎとの平均値とする。このように庫内温度を平均値とすることは、ＴｏｕｔとＴｉｎとのちょうど中間値を庫内温度として認定することであるが、ＴｏｕｔとＴｉｎとの差Δｔが大きい場合には、補正された庫内温度の値をＴｉｎの側に近づけようとするのが第３実施形態である。
【００３１】
そして、そのための平均補正値αの算出式は、Δｔ＞４の場合の、α＝（Δｔ−Ａ）／Ｂである。
【００３２】
かかるαの値を組み入れた庫内温度補正式は、Ｔｉｎ−１／（１＋α＋１）×Δｔである。
【００３３】
ショーケース用制御器に組み入れた特有値がＡ＝４、Ｂ＝２で、Ｔｏｕｔ＝−８℃、Ｔｉｎ＝−２℃の場合、前記式をもとにして庫内温度を補正すると下記のようになる。
【００３４】
補正後の庫内温度は、−２−１／（１＋１＋１）×６＝−４℃となり、これは、Ｔｏｕｔ＝−８℃、Ｔｉｎ＝−２℃の単なる平均値である−５℃よりも高く、Ｔｉｎの値に近い値であり、この−４℃が庫内温度として表示される（ステップ６）。
【００３５】
そして、Δｔ＞４ではなく、Δｔの値が４℃よりも小さい場合は（ステップ５）、庫内温度はショーケース庫内冷却用冷気吹出し温度Ｔｏｕｔと、ショーケース庫内冷却用冷気吸込み温度Ｔｉｎとの平均値とし、これを表示温度として表示する（ステップ７）。
【図面の簡単な説明】
【００３６】
【図１】本発明の冷凍冷蔵ショーケース用制御器の庫内温度の表示温度算出方法の第３実施形態を示す表示温度算出のフローチャートである。
【図２】本発明の冷凍冷蔵ショーケース用制御器の庫内温度の表示温度算出方法が実施されるショーケースの温度制御運転のフローチャートである。
【図３】ショーケース用制御器で算出される表示温度と実際の庫内温度との関係を示すグラフである。
【図１】
2007256169.tif 000003
【図２】
2007256169.tif 000004
【図３】
2007256169.tif 000005